(57)【要約】【課題】所定のデータ形式（例えばＴＩＦＦ形式）以外のデータ形式に非対応のＦＡＸ送受信機と、上記所定のデータ形式以外のデータ形式に対応の通信装置との間で、画像データの送受信を可能とする。【解決手段】送信側装置と受信側装置との間の画像データの送受信を中継するデータ中継システムであって、受信側装置が第１の画像フォーマットと第２の画像フォーマットとのいずれを受信可能か判定する判定部と、判定結果に応じて、送信側装置から第１の画像フォーマットにて送信された画像データを、第２の画像フォーマットに変換する変換部と、受信側装置が受信可能な画像フォーマットで画像データを送信する送信部とを備える。【選択図】図１
2014192726.tif 000002
【特許請求の範囲】
【請求項１】
送信側装置と受信側装置との間の画像データの送受信を中継するデータ中継システムであって、
前記受信側装置が第１の画像フォーマットと第２の画像フォーマットとのいずれを受信可能か判定する判定部と、
判定結果に応じて、前記送信側装置から第１の画像フォーマットにて送信された画像データを、第２の画像フォーマットに変換する変換部と、
前記受信側装置が受信可能な画像フォーマットで前記画像データを送信する送信部とを備えることを特徴とするデータ中継システム。
【請求項２】
送信側装置と受信側装置との間の画像データの送受信を中継するデータ中継方法であって、
前記受信側装置が第１の画像フォーマットと第２の画像フォーマットとのいずれを受信可能か判定する判定段階と、
判定結果に応じて、前記送信側装置から第１の画像フォーマットにて送信された画像データを、第２の画像フォーマットに変換する変換段階と、
前記受信側装置が受信可能な画像フォーマットで前記画像データを送信する送信段階とを備えることを特徴とするデータ中継方法。
【請求項３】
送信側装置と受信側装置との間の画像データの送受信を中継するデータ中継装置としてコンピュータを機能させるためのデータ中継プログラムであって、
コンピュータに、
前記受信側装置が第１の画像フォーマットと第２の画像フォーマットとのいずれを受信可能か判定する判定段階と、
判定結果に応じて、前記送信側装置から第１の画像フォーマットにて送信された画像データを、第２の画像フォーマットに変換する変換段階と、
前記受信側装置が受信可能な画像フォーマットで前記画像データを送信する送信段階と実行させるためのデータ中継プログラム。
【発明の詳細な説明】
【技術分野】
【０００１】
本発明は、送信側装置と受信側装置との間の画像データの送受信を中継するデータ中継技術に関する。
【背景技術】
【０００２】
従来、ＩＰ電話回線を利用したデータコネクトと称するデータ通信サービスが知られている。ＩＰ電話回線のプロトコルであるＳＩＰ(Session Initiation Protocol)においては、音声（m=audio），映像（m=video），データ（m=application）を含む３種類のメディア種別が許容されている。一般に、データコネクトでは、電話のセッションにおいて、データ（m=application）のメディアストリームを利用することにより帯域確保型のデータ通信が提供される。
【先行技術文献】
【非特許文献】
【０００３】
【非特許文献１】NTT東西、電話番号でデータ通信できる「データコネクト」、［online］、［平成25年3月22日検索］、インターネット〈URL：http://ascii.jp/elem/000/000/525/525251/〉
【発明の概要】
【発明が解決しようとする課題】
【０００４】
しかしながら、データコネクトを用いて、ＦＡＸ画像データを送受信するには、データを送受信する端末装置がデータコネクトに対応した機種である必要があった。データコネクトにおいては、一般的にＦＡＸ通信（アナログ）に用いられるＴＩＦＦ形式(Tagged Image File Format)ではなく、ＪＰＥＧ形式(Joint Photographic Experts Group)やＰＤＦ形式(Portable Document Format)によって画像データが送受信されるからである。そのため、データコネクト非対応のＦＡＸ送受信機では、データコネクト対応の通信装置との間で画像データを送受信することができなかった。このような問題は、データコネクト固有の問題ではなく、所定のデータ形式（例えばＴＩＦＦ形式）以外のデータ形式のＦＡＸ画像データを送受信できないＦＡＸ送受信機全般に共通する問題である。
【０００５】
上記事情に鑑み、本発明は、所定のデータ形式（例えばＴＩＦＦ形式）以外のデータ形式に非対応のＦＡＸ送受信機と、上記所定のデータ形式以外のデータ形式に対応の通信装置との間で、画像データの送受信を可能とするデータ中継システム、データ中継方法、及びデータ中継プログラムを提供することを目的としている。
【課題を解決するための手段】
【０００６】
本発明の一態様は、送信側装置と受信側装置との間の画像データの送受信を中継するデータ中継システムであって、前記受信側装置が第１の画像フォーマットと第２の画像フォーマットとのいずれを受信可能か判定する判定部と、判定結果に応じて、前記送信側装置から第１の画像フォーマットにて送信された画像データを、第２の画像フォーマットに変換する変換部と、前記受信側装置が受信可能な画像フォーマットで前記画像データを送信する送信部とを備える。
【０００７】
また、本発明の一態様は、送信側装置と受信側装置との間の画像データの送受信を中継するデータ中継方法であって、前記受信側装置が第１の画像フォーマットと第２の画像フォーマットとのいずれを受信可能か判定する判定段階と、判定結果に応じて、前記送信側装置から第１の画像フォーマットにて送信された画像データを、第２の画像フォーマットに変換する変換段階と、前記受信側装置が受信可能な画像フォーマットで前記画像データを送信する送信段階とを備える。
【０００８】
また、本発明の一態様は、送信側装置と受信側装置との間の画像データの送受信を中継するデータ中継装置としてコンピュータを機能させるためのデータ中継プログラムであって、コンピュータに、前記受信側装置が第１の画像フォーマットと第２の画像フォーマットとのいずれを受信可能か判定する判定段階と、判定結果に応じて、前記送信側装置から第１の画像フォーマットにて送信された画像データを、第２の画像フォーマットに変換する変換段階と、前記受信側装置が受信可能な画像フォーマットで前記画像データを送信する送信段階と実行させるためのデータ中継プログラムである。
【発明の効果】
【０００９】
本発明によれば、所定のデータ形式（例えばＴＩＦＦ形式）以外のデータ形式に非対応のＦＡＸ送受信機と、上記所定のデータ形式以外のデータ形式に対応の通信装置との間で、画像データの送受信が可能となる。
【図面の簡単な説明】
【００１０】
【図１】ＦＡＸ送受信システムの構成を示す図である。
【図２】ＦＡＸ送受信システムの動作の流れを示すフローチャートである。
【図３】ＦＡＸ送受信システムの処理の流れを示すシーケンス図である。
【図４】ＦＡＸ送受信システムの構成を示す図である。
【図５】ＦＡＸ送受信システムの動作の流れを示すフローチャートである。
【発明を実施するための形態】
【００１１】
図１は、本実施形態に係るＦＡＸ送受信システム５００の構成を示す図である。ＦＡＸ送受信システム５００は、送信者端末装置１００，ＦＡＸサーバ２００，受信者端末装置３００ａ，受信者端末装置３００ｂを備えている。送信者端末装置１００とＦＡＸサーバ２００との間はアナログ回線で接続される。ＦＡＸサーバ２００と受信者端末装置３００ａとの間はＮＧＮ(Next Generation Network)で接続される。ＦＡＸサーバ２００と受信者端末装置３００ｂとの間はアナログ回線で接続される。ＦＡＸ送受信システム５００は、送信者端末装置１００に入力される送信者からの指示に応じて、ＦＡＸサーバ２００を介して受信者端末装置３００ａまたは受信者端末装置３００ｂにＦＡＸ画像データを送信する。
【００１２】
送信者端末装置１００は、所定のデータ形式以外のデータ形式に非対応のＦＡＸ送受信機である。受信者端末装置３００ａは、上記所定のデータ形式以外のデータ形式に対応のＦＡＸ送受信機である。受信者端末装置３００ｂは、上記所定のデータ形式以外のデータ形式に非対応のＦＡＸ送受信機である。本実施形態において、上記所定のデータ形式の一例は、ＴＩＦＦ形式である。
【００１３】
ＦＡＸサーバ２００は、通信部２１０，画像記憶部２２０，判定部２３０，画像変換部２４０，制御部２５０，Ａ／Ｄ変換部２６０を備えている。通信部２１０は、各種装置との間のデータ通信を担うインタフェースである。画像記憶部２２０は、送信者端末装置１００から送信されたＦＡＸ画像データを一時的に格納する。判定部２３０は、受信者端末装置３００ａと受信者端末装置３００ｂとがＴＩＦＦ形式以外のデータ形式（ＪＰＥＧ形式やＰＤＦ形式等）を受信可能か否か判定する。以下では、ＴＩＦＦ形式以外のデータ形式としてＪＰＥＧ形式を例にしながら説明する。画像変換部２４０は、送信者端末装置１００からＴＩＦＦ形式にて送信されたＦＡＸ画像データをＪＰＥＧ形式のＦＡＸ画像データに変換する。制御部２５０は、ＦＡＸサーバ２００の全体動作を統括する。Ａ／Ｄ変換部２６０は、アナログ信号／デジタル信号の信号変換を実行する。
【００１４】
図２は、ＦＡＸ送受信システム５００の動作の流れを示すフローチャートである。図２のフローチャートを参照しながら、ＦＡＸ送受信システム５００の動作の流れについて説明する。ＦＡＸ送受信システム５００において、送信者端末装置１００は、受信者端末装置３００ａまたは受信者端末装置３００ｂにＦＡＸ画像データを送信するものとする。
【００１５】
まず、送信者端末装置１００は、発信者の指示に応じて送信先の受信者端末装置３００ａまたは受信者端末装置３００ｂ（以下、単に「送信先」という。）の電話番号をＦＡＸサーバ２００に送信する（Ｓ１１）。次に、送信者端末装置１００は、ＴＩＦＦ形式のＦＡＸ画像データをＦＡＸサーバ２００に送信する（Ｓ１２）。次に、ＦＡＸサーバ２００の画像記憶部２２０は、送信されたＴＩＦＦ形式のＦＡＸ画像データを格納する（Ｓ１３）。
【００１６】
次に、ＦＡＸサーバ２００の判定部２３０は、送信先がＪＰＥＧ形式のＦＡＸ画像データを受信可能か否か判定する（Ｓ１４）。例えば、判定部２３０は、送信先との間の回線種類に基づいて判定してもよいし、送信先と通信することによって判定してもよい。本例では、受信者端末装置３００ａはＪＰＥＧ形式のＦＡＸ画像データを受信可能であり、受信者端末装置３００ｂはＪＰＥＧ形式のＦＡＸ画像データを受信不能である。判定の結果、送信先がＪＰＥＧ形式のＦＡＸ画像データを受信可能であれば、ＦＡＸサーバ２００の画像変換部２４０は、画像記憶部２２０に格納されたＴＩＦＦ形式のＦＡＸ画像データをＪＰＥＧ形式のＦＡＸ画像データに変換する（Ｓ１５）。他方、送信先がＪＰＥＧ形式を受信不能であれば、そのままＳ１６の処理に進む。次に、ＦＡＸサーバ２００の通信部２１０は、送信先が受信可能なデータ形式にてＦＡＸ画像データを送信する（Ｓ１６）。
【００１７】
図３は、ＦＡＸ送受信システム５００の処理の流れを示すシーケンス図である。送信者端末装置１００は、ＦＡＸサーバ２００に向けて、送信先の電話番号（受信者端末装置３００ａまたは受信者端末装置３００ｂの電話番号）を送信する。次に、送信者端末装置１００は、ＦＡＸサーバ２００に向けてＴＩＦＦ形式のＦＡＸ画像データを送信する。次に、ＦＡＸサーバ２００は、送信先に受信可能なデータ形式を問い合わせる。問い合わせに対して、送信先は、自らの受信可能なデータ形式を回答する。次に、ＦＡＸサーバ２００は、送信先に受信可能なデータ形式にてＦＡＸ画像データを送信する。
【００１８】
このようにして、所定のデータ形式（例えばＴＩＦＦ形式）以外のデータ形式に非対応のＦＡＸ送受信機と、上記所定のデータ形式以外のデータ形式に対応の通信装置との間で、画像データの送受信が可能となる。
【００１９】
図４は、本実施形態に係るＦＡＸ送受信システム１０００の構成を示す図である。ＦＡＸ送受信システム１０００は、送信者端末装置６００，ＦＡＸサーバ７００，受信者端末装置８００ａ，受信者端末装置８００ｂを備えている。送信者端末装置６００とＦＡＸサーバ７００との間はＮＧＮで接続される。ＦＡＸサーバ７００と受信者端末装置８００ａとの間はＮＧＮで接続される。ＦＡＸサーバ７００と受信者端末装置８００ｂとの間はアナログ回線で接続される。ＦＡＸ送受信システム１０００は、送信者端末装置６００に入力される送信者からの指示に応じて、ＦＡＸサーバ７００を介して受信者端末装置８００ａまたは受信者端末装置８００ｂにＦＡＸ画像データを送信する。
【００２０】
送信者端末装置６００は、所定のデータ形式以外のデータ形式に対応のＦＡＸ送受信機である。受信者端末装置８００ａは、上記所定のデータ形式以外のデータ形式に対応のＦＡＸ送受信機である。受信者端末装置８００ｂは、上記所定のデータ形式以外のデータ形式に非対応のＦＡＸ送受信機である。本実施形態において、上記所定のデータ形式の一例は、ＴＩＦＦ形式である。
【００２１】
ＦＡＸサーバ７００は、通信部７１０，画像記憶部７２０，判定部７３０，画像変換部７４０，制御部７５０，Ａ／Ｄ変換部７６０を備えている。通信部７１０は、各種装置との間のデータ通信を担うインタフェースである。画像記憶部７２０は、送信者端末装置６００から送信されたＦＡＸ画像データを一時的に格納する。判定部７３０は、受信者端末装置８００ａと受信者端末装置８００ｂとがＴＩＦＦ形式以外のデータ形式（ＪＰＥＧ形式やＰＤＦ形式等）を受信可能か否か判定する。以下では、ＴＩＦＦ形式以外のデータ形式としてＪＰＥＧ形式を例にしながら説明する。画像変換部７４０は、送信者端末装置６００からＪＰＥＧ形式にて送信されたＦＡＸ画像データをＴＩＦＦ形式のＦＡＸ画像データに変換する。制御部７５０は、ＦＡＸサーバ７００の全体動作を統括する。Ａ／Ｄ変換部７６０は、アナログ信号／デジタル信号の信号変換を実行する。
【００２２】
図５は、ＦＡＸ送受信システム１０００の動作の流れを示すフローチャートである。図５のフローチャートを参照しながら、ＦＡＸ送受信システム１０００の動作の流れについて説明する。ＦＡＸ送受信システム１０００において、送信者端末装置６００は、受信者端末装置８００ａまたは受信者端末装置８００ｂにＦＡＸ画像データを送信するものとする。
【００２３】
まず、送信者端末装置６００は、発信者の指示に応じて送信先の受信者端末装置８００ａまたは受信者端末装置８００ｂ（以下、単に「送信先」という）の電話番号をＦＡＸサーバ７００に送信する（Ｓ３１）。次に、送信者端末装置６００は、ＪＰＥＧ形式のＦＡＸ画像データをＦＡＸサーバ７００に送信する（Ｓ３２）。次に、ＦＡＸサーバ７００の画像記憶部７２０は、送信されたＪＰＥＧ形式のＦＡＸ画像データを格納する（Ｓ３３）。
【００２４】
次に、ＦＡＸサーバ７００の判定部７３０は、送信先がＪＰＥＧ形式を受信可能か否か判定する（Ｓ３４）。例えば、判定部７３０は、送信先との間の回線種類に基づいて判定してもよいし、送信先と交信することによって判定してもよい。本例では、送信先が受信者端末装置８００ａであればＪＰＥＧ形式を受信可能であり、送信先が受信者端末装置８００ｂであればＪＰＥＧ形式を受信不能である。判定の結果、送信先がＪＰＥＧ形式を受信不能であれば、ＦＡＸサーバ７００の画像変換部７４０は、画像記憶部７２０に格納されたＪＰＥＧ形式のＦＡＸ画像データをＴＩＦＦ形式のＦＡＸ画像データに変換する（Ｓ３５）。他方、送信先がＪＰＥＧ形式を受信可能であれば、そのままＳ３６の処理に進む。次に、ＦＡＸサーバ７００の通信部７１０は、送信先が受信可能なデータ形式にてＦＡＸ画像データを送信する（Ｓ３６）。
【００２５】
このようにして、上記所定のデータ形式以外のデータ形式に非対応のＦＡＸ送受信機と、上記所定のデータ形式以外のデータ形式に対応の通信機器との間で、画像データの送受信が可能となる。
本発明の内容はデータ中継プログラムとして実現することも可能である。なお、以上では、ＴＩＦＦ形式以外のデータ形式に対応の通信装置として、ＦＡＸ送受信機を例示したが、本発明を適用できる通信装置は、ＦＡＸ送受信機に限られるものではなく、各種コンピュータや電話機、スマートフォン、携帯端末など任意の通信装置であってよい。
【００２６】
本明細書において、ＦＡＸサーバ２００は、単体の装置として、通信部２１０、画像記憶部２２０、判定部２３０、画像変換部２４０、制御部２５０及びＡ／Ｄ変換部２６０を備える構成としたが、本発明のデータ中継システムにおいて、上記各機能部は、複数の装置にわたって実装されてもよい。複数の装置にわたって実装される場合には、各装置が連携することによって１台の情報処理装置として実装されたデータ中継システムとなる。ＦＡＸサーバ７００についても同様である。
【００２７】
本発明の実施形態について図面を参照して詳述してきたが、具体的な構成は本実施形態に限られるものではなく、本発明の要旨を逸脱しない範囲の設計等も含まれる。なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００２８】
１００…送信者端末装置，  ２００…ＦＡＸサーバ，  ３００ａ…受信者端末装置，  ３００ｂ…受信者端末装置，  ５００…ＦＡＸ送受信システム，  ６００…送信者端末装置，  ７００…ＦＡＸサーバ，  ８００ａ…受信者端末装置，  ８００ｂ…受信者端末装置，  １０００…ＦＡＸ送受信システム
【図１】
2014192726.tif 000003
【図２】
2014192726.tif 000004
【図３】
2014192726.tif 000005
【図４】
2014192726.tif 000006
【図５】
2014192726.tif 000007